(57)【要約】【課題】一種のＫＶＭスイッチによる複数のコンピュータ主機間のファイル伝送方法を提供する。【解決手段】主に、（ａ）第１表示装置に接続された第１コンピュータ主機、第２表示装置に接続された第２コンピュータ主機、キーボードとカーソル制御装置をＫＶＭスイッチに接続し、（ｂ）第１表示装置において、前記カーソル制御装置によって制御されたカーソル（制御受けるカーソル）の初期化を実行し、（ｃ）前記カーソル制御装置によって制御されたカーソルによって、前記第１表示装置の画面上に表示されるファイルを前記第２表示装置の画面上に移動し、ＫＶＭスイッチによって、前記ファイルを前記第１コンピュータ主機から前記第２コンピュータ主機に移動させるステップを含む。【選択図】図１
2010079904.tif 000002
【特許請求の範囲】
【請求項１】
ＫＶＭスイッチによる複数のコンピュータ主機間のファイル伝送方法であって、
（ａ）第１表示装置に接続された第１コンピュータ主機と、第２表示装置に接続された第２コンピュータ主機、キーボードとカーソル制御装置をＫＶＭスイッチに接続し、
（ｂ）前記第１表示装置において、前記カーソル制御装置によって制御されたカーソルの初期化を実行し、
（ｃ）前記カーソル制御装置によって制御されたカーソルによって、前記第１表示装置の画面上に表示されたファイルを前記第２表示装置に移動することによって、前記ＫＶＭスイッチによって、ファイルを前記第１コンピュータ主機から前記第２コンピュータ主機に伝送するステップを少なくとも含む、
ＫＶＭスイッチによる複数のコンピュータ主機間のファイル伝送方法
【請求項２】
さらに、前記第１表示装置と前記第２表示装置の境界領域を捕捉するステップを含む、請求項１に記載のＫＶＭスイッチによる複数のコンピュータ主機間のファイル伝送方法。
【請求項３】
前記ステップｃは、
（ｃ１）前記第１表示装置において、前記カーソル制御装置によって制御されたカーソルをファイルアイコンの上方に移動させ、
（ｃ２）前記カーソル制御装置上の第１キーをクリックし、クリックの状態を保持し、
（ｃ３）前記カーソル制御装置の制御によって、カーソルを前記第１表示装置から前記第２表示装置に移動させ、
（ｃ４）クリック状態の第１キーを解放し、ファイルをＫＶＭスイッチによって、第１コンピュータ主機から第２コンピュータ主機に移動させるステップをさらに含むことを特徴とする、請求項１に記載のＫＶＭスイッチによる複数のコンピュータ主機間のファイル伝送方法。
【請求項４】
前記ステップｃは、
（ｃ１）前記第１表示装置において、前記カーソル制御装置によって制御されたカーソルをファイルアイコンの上方に移動させ、
（ｃ２）前記カーソル制御装置上に配置された第２キーをクリックし、
（ｃ３）前記カーソル制御装置の制御によって、カーソルを前記第１表示装置から前記第２表示装置に移動させ、
（ｃ４）再び前記第２キーをクリックし、ファイルをＫＶＭスイッチによって、第１コンピュータ主機から第２コンピュータ主機に移動させるステップをさらに含むことを特徴とする、請求項１に記載のＫＶＭスイッチによる複数のコンピュータ主機間のファイル伝送方法。
【請求項５】
前記ステップｃ２において、前記第２キーはコピー機能として定義されていることを特徴とする請求項４に記載のＫＶＭスイッチによる複数のコンピュータ主機間のファイル伝送方法。
【請求項６】
前記ステップｃ４において、前記第２キーは貼り付け機能として定義されることを特徴とする請求項４に記載のＫＶＭスイッチによる複数のコンピュータ主機間のファイル伝送方法。
【請求項７】
ＫＶＭスイッチによる複数のコンピュータ主機間のファイル伝送方法であって、コンピュータ切り替えシステムの切り替え方法として、
（ａ）第１表示装置に接続された第１コンピュータ主機と、第２表示装置に接続された第２コンピュータ主機、キーボードとカーソル制御装置をＫＶＭスイッチに接続し、
（ｂ）前記第１表示装置において、前記カーソル制御装置によって制御されたカーソルの初期化を実行し、
（ｃ）第１表示装置の画面上に表示されたファイルのコピーを実行し、
（ｄ）前記カーソル制御装置によって、カーソルを前記第１表示装置から第２表示装置に移動させ、
（ｅ）前記ＫＶＭスイッチによって、前記ファイルを前記第２コンピュータ主機に移動し、前記第２表示装置の画面上に前記ファイルを表示させるステップからなることを特徴とする、ＫＶＭスイッチによる複数のコンピュータ主機間のファイル伝送方法。
【請求項８】
前記ステップｃはキーボードによって実行される、請求項７に記載のＫＶＭスイッチによる複数のコンピュータ主機間のファイル伝送方法。
【請求項９】
前記ステップｅはキーボードによって実行されることを特徴とする請求項７記載のＫＶＭスイッチによる複数のコンピュータ主機間のファイル伝送方法。
【発明の詳細な説明】
【技術分野】
【０００１】
本発明は一種の複数のコンピュータ主機間のファイル伝送方法に係わり、特にＫＶＭスイッチによって、複数のコンピュータ主機間のファイル伝送方法に係わる。
【背景技術】
【０００２】
電子製品のうち、一種のＫＶＭ（キーボード、ビデオ、マウス）スイッチなどによって、コンピュータ主機を複数のコンピュータ主機に接続する装置が存在している。
【０００３】
それは複数のコンピュータ主機が接続されていて、一組のキーボード、表示装置とマウスによって、ＫＶＭ（キーボード、ビデオ、マウス）スイッチに接続されたすべてのコンピュータ主機を制御できる。
【０００４】
これにより、使用者はすべてのコンピュータ主機に対応のキーボード、表示装置とマウスの購入必要がなく、一組のキーボード、表示装置とマウスがあれば済む。使用者はＫＶＭ（キーボード、ビデオ、マウス）スイッチに接続されたコンピュータ主機をアクセス操作するときに、コンピュータ主機の映像信号は処理後に、前記表示装置の画面上に表示される。
【０００５】
このほか、ＫＭ（キーボード、マウス）スイッチは、使用者に複数のコンピュータ主機を制御するため、一組の呼応されたキーボードとマウスが提供されている。ＫＭ（キーボード、マウス）スイッチを使用するときに、各コンピュータ主機の映像信号を表示させるため、これと接続されたコンピュータ主機とも呼応の表示装置に接続する。
【発明の概要】
【発明が解決しようとする課題】
【０００６】
第１コンピュータ主機と第２コンピュータ主機ともＫＭ（キーボード、マウス）スイッチに接続されているとき、使用者がファイルを第２コンピュータ主機から第２コンピュータ主機に伝送させる場合、通常は以下の方式で実現されている。
【０００７】
（イ）使用者によって、ファイルを第１コンピュータ主機からネットワークに伝送（たとえば、ネットワーク上の電子メールボックス）した上、第２コンピュータ主機から、インターネットよりそのファイルを第２コンピュータ主機にダウンロード操作する。
【０００８】
（ロ）使用者が保存装置（フロッピディスク、携帯式ディスクまたは外付け式ハードディスクなど）を用意し、第１コンピュータ主機にて保管されたファイルを保存装置にコピーした後、保存装置を第２コンピュータ主機に接続して、ファイルを第２コンピュータ主機に転送させる。
【０００９】
（ハ）使用者より信号接続線を用意し、第１コンピュータ主機と第２コンピュータ主機とを接続し、イントラネットを構築した後に、第１コンピュータ主機に保存されたファイルを第２コンピュータ主機に転送させる。
【００１０】
しかしながら、以上３つの方式は、いずれも使用するときに不便と速度の遅い欠点が残っていた。よって、簡単操作で、コンピュータ間のファイル転送の実現は、意義ある発明の方向である。
【課題を解決するための手段】
【００１１】
簡単操作の効果を有したＫＶＭスイッチによる複数のコンピュータ主機間のファイル伝送方法を提供することを本発明の主な目的である。
【００１２】
前記目的を実現するため、本発明に係る技術は、以下の方法によって実現される。
【００１３】
ＫＶＭスイッチによる複数のコンピュータ主機間のファイル伝送方法であって、主に、
（ａ）第１表示装置に接続された第１コンピュータ主機、第２表示装置に接続された第２コンピュータ主機、キーボードとカーソル制御装置をＫＶＭスイッチに接続し、
（ｂ）第１表示装置において、前記カーソル制御装置によって制御されたカーソル（制御受けるカーソル）の初期化を実行し、
（ｃ）前記カーソル制御装置によって制御されたカーソルによって、前記第１表示装置の画面上に表示されるファイルを前記第２表示装置の画面上に移動し、ＫＶＭスイッチによって、前記ファイルを前記第１コンピュータ主機から前記第２コンピュータ主機に移動させるステップを含む。
【００１４】
本発明のもう一つの実施例に係るＫＶＭスイッチによる複数のコンピュータ主機間のファイル伝送方法は、主に以下のステップを含む。
（ｄ）第１表示装置に接続された第１コンピュータ主機、第２表示装置に接続された第２コンピュータ主機、キーボードとカーソル制御装置をＫＶＭスイッチに接続する。
（ｅ）前記第１表示装置の画面上において、前記カーソル制御装置によって制御されたカーソルの初期化を実行。
（ｆ）前記第１表示装置の画面上に表示されたファイルをコピーする。
（ｇ）前記カーソル制御装置によって、前記カーソルを前記第２表示装置に移動させる。
および、
（ｈ）前記ＫＶＭスイッチによって、前記ファイルを前記第２コンピュータ主機に転送し、前記第２表示装置の画面上に表示させる。
【図面の簡単な説明】
【００１５】
【図１】本発明に係るＫＶＭスイッチによる複数のコンピュータ主機間のファイル伝送方法の実施フロー図である。
【図２】本発明に係るＫＶＭスイッチによる複数のコンピュータ主機間のファイル伝送方法もう一つの実施フロー図である。
【図３】本発明に係るＫＶＭスイッチによる複数のコンピュータ主機間のファイル伝送方法また一つの実施フロー図である。
【発明を実施するための形態】
【００１６】
本技術を熟知するものは、以下の図面と説明を参照すれば、本発明に係るその他システム、方法、特徴と長所を理解できる。
【００１７】
本出願人はこの種のその他システム、方法、特徴および長所とも本明細書に含まれるものと理解し、本発明の技術に含まれるものとし、特許請求の範囲の保護を受けることを希望する。
【実施例１】
【００１８】
図１は、本発明に係るＫＶＭスイッチによる複数のコンピュータ主機間のファイル伝送方法の実施フロー図である。
【００１９】
図示の通り、使用者がファイルを第１コンピュータ主機から第２コンピュータ主機に転送するときは、まず、第１表示装置に接続された第１コンピュータ主機、第２表示装置に接続された第２コンピュータ主機、キーボードとカーソル制御装置をＫＶＭスイッチに接続し（ステップａ）、第１コンピュータ主機、第２コンピュータ主機、キーボード、カーソル制御装置及びＫＶＭスイッチとを電気接続させる。
【００２０】
第１コンピュータ主機と第２コンピュータ主機とを起動した後、第１コンピュータ主機と第２コンピュータ主機のＯＳシステムは前記第１表示装置の画面上において、前記カーソル制御装置によって制御されたカーソルの初期化が行われる（ステップｂ）。
【００２１】
第１コンピュータ主機と第２コンピュータ主機のＯＳシステムは、前記第２表示装置にて、前記カーソル制御装置によって制御されたカーソル（制御受けるカーソル）の初期化を実行することもできる。この場合は、ＫＶＭスイッチにてあらかじめに設定すれば良い。
ＫＶＭスイッチより第１表示装置と第２表示装置の境界領域を捕捉し（ステップｂ１）、カーソルが第１表示装置から移動された後に、第２表示装置の画面上に現れて、第２コンピュータ主機はＫＶＭスイッチによって、キーボードとカーソル制御装置の制御を受ける。同じく、カーソルを第２表示装置から移動された後は、第１表示装置の画面上に現れて、第１コンピュータ主機はＫＶＭスイッチによって、キーボードとカーソル制御装置の制御を受ける。
【００２２】
最後に、使用者は前記カーソル制御装置を介し、カーソルによって、前記第１表示装置の画面上に表示されたファイルを前記第２表示装置に移動した後、前記ＫＶＭスイッチによって、ファイルを前記第１コンピュータ主機から第２コンピュータ主機に転送する（ステップｃ）。
【実施例２】
【００２３】
図２に、本発明に係るＫＶＭスイッチによる複数のコンピュータ主機間のファイル伝送方法もう一つの実施例のフロー図を示す。
【００２４】
図示の通り、前記ステップｃにおいて、使用者が表示装置の画面上のファイルを第２表示装置に移動したいときは、まず、第１表示装置から前記カーソル制御装置によって制御されたカーソルをファイルアイコン上に移動し（ステップｃ１）、前記カーソル制御装置に配置された第１キー（たとえば、左キー）をクリックし、そのクリック状態が保持されたまま（ステップｃ２）、カーソル制御装置の制御によって、カーソルを第１表示装置から第２表示装置に移動させる（ステップｃ３）。
【００２５】
このとき、カーソルは第１表示装置から第２表示装置に移動されて、第１キーはクリックされたままの状態にある。最後に、使用者がクリック状態の第１キーを解放し、ファイルはＫＶＭスイッチによって、第１コンピュータ主機から第２コンピュータ主機に移動される。
【００２６】
ステップｃ３において、カーソルを第１表示装置の境界領域から移動された後、カーソルは直ちに第２表示装置で表示される。第１表示装置と第２表示装置の境界領域は第１コンピュータ主機始動後、ＫＶＭスイッチによって選択設定される。
【００２７】
さらに、３台またはより多くのコンピュータ主機（個別に対応する表示装置を含む）とＫＶＭスイッチが設置された場合は、ＫＶＭスイッチは始動のときに、各コンピュータ主機に接続された表示装置の境界領域が選択されるため、使用者は各コンピュータ主機間でのファイル伝送ができる。
【００２８】
このほか、ステップｃ２において、使用者はカ―ソル制御装置に配置された第２キーをクリックし（クリックを保持する必要はない）、ステップｃ４において、第２キーをクリックすれば、ファイルをＫＶＭスイッチによって、第１コンピュータ主機から第２コンピュータ主機に転送させることができる。
カーソル制御装置の第２キーと、第１キーと違うところは、第２キーはコピー／貼り付け機能を定義可能にある。
【００２９】
一例として、カーソルは第１表示装置にあり、第２キーをクリックされたときに、第２キーはファイルコピーの機能が実行される。そして、カーソルが第２表示装置の空き場所にあり、第２キーをクリックされたときは、第２キーはファイルの貼り付け機能が実行される。つまり、ファイルは第１コンピュータ主機から第２コンピュータ主機に伝送される。
【００３０】
図３は本発明に係るＫＶＭスイッチによる複数のコンピュータ主機間のファイル伝送方法もう一つの実施フロー図であって、図示の通り、使用者はファイルを第１コンピュータ主機から第２コンピュータ主機に転送するときは、まず、第１表示装置に接続された第１コンピュータ主機、第２表示装置に接続された第２コンピュータ主機、キーボードとカーソル制御装置をＫＶＭスイッチに接続し（ステップｄ）、第１コンピュータ主機、第２コンピュータ主機、キーボード、カーソル制御装置及びＫＶＭスイッチとを電気接続させる。
【００３１】
第１コンピュータ主機と第２コンピュータ主機とを起動した後、第１コンピュータ主機と第２コンピュータ主機のＯＳシステムは前記第１表示装置の画面上において、前記カーソル制御装置によって制御されたカーソルの初期化が行われる（ステップｅ）。
【００３２】
第１コンピュータ主機と第２コンピュータ主機のＯＳシステムは、前記第２表示装置にて、前記カーソル制御装置によって制御されたカーソルの初期化を実行することもできる。この場合は、ＫＶＭスイッチにてあらかじめに設定すれば良い。ＫＶＭスイッチは、第１表示装置と第２表示装置の境界領域の捕捉が開始される。カーソルを第２表示装置から移動された後に、第２表示装置の画面上に現れて、第２コンピュータ主機はＫＶＭスイッチによって、キーボードとカーソル制御装置の制御を受ける。同じく、カーソルを第２表示装置から移動された後に、第１表示装置の画面上に現れて、第１コンピュータ主機はＫＶＭスイッチによって、キーボードとカーソル制御装置の制御を受ける。
【００３３】
引き続き、使用者は第１表示装置の画面上に表示されたファイルのコピーを実行し（ステップｆ）、カーソル制御装置によって、カーソルを第１表示装置から第２表示装置に移動させる（ステップｇ）。
【００３４】
最後に、前記ＫＶＭスイッチによって、前記ファイルは前記第２表示装置に移動されて、前記第２表示装置の画面上に前記ファイルを表示させる。
【００３５】
ステップｆにおいて、使用者はカーソル位置に基づいて、キーボードよりファイルのコピー操作ができる。たとえば、キーボード上のｃｔｒｌとＣの２つのキーを同時にクリックする。ステップｈにおいて、使用者はカーソル位置に基づいて、キーボードから、ファイルの貼り付け操作ができる。たとえば、キーボード上のｃｔｒｌとＶの２つのキーを同時にクリックする。
【産業上の利用可能性】
【００３６】
本発明に係るＫＶＭスイッチによる複数のコンピュータ主機間のファイル伝送方法、その操作は公知技術の方法より簡単便利で、実用性を有する。
【符号の説明】
【００３７】
ａ  第１表示装置に接続された第１コンピュータ主機と、第２表示装置に接続された第２コンピュータ主機、キーボードとカーソル制御装置をＫＶＭスイッチに接続
ｂ  前記第１表示装置において、前記カーソル制御装置によって制御されたカーソルの初期化を実行
ｂ１  第１表示装置と第２表示装置の境界領域を捕捉する
ｃ  前記カーソル制御装置によって制御されたカーソルによって、前記第１表示装置の画面上に表示されたファイルを前記第２表示装置に移動した後に、前記ＫＶＭスイッチによって、ファイルを前記第１コンピュータ主機から第２コンピュータ主機に伝送する
ｃ１  第１表示装置において、前記カーソル制御装置によって制御されたカーソルをファイルアイコンの上方に移動する。
ｃ２  前記カーソル制御装置上の第１キーをクリックし、クリックの状態を保持する
ｃ３  カーソル制御装置の制御によって、カーソルを第１表示装置から第２表示装置に移動させる
ｃ４  クリック状態の第１キーを解放し、ファイルをＫＶＭスイッチによって、第１コンピュータ主機から第２コンピュータ主機に移動させる
ｄ  第１表示装置に接続された第１コンピュータ主機と、第２表示装置に接続された第２コンピュータ主機、キーボードとカーソル制御装置をＫＶＭスイッチに接続する
ｅ  前記第１表示装置において、前記カーソル制御装置によって制御されたカーソルの初期化を実行
ｆ  第１表示装置の画面上に表示されたファイルをコピーする
ｇ  前記カーソル制御装置によって、カーソルを前記第１表示装置から第２表示装置に移動させる
ｈ  前記ＫＶＭスイッチによって、前記ファイルを前記第２表示装置に移動し、前記第２表示装置の画面上に前記ファイルを表示させる
【図１】
2010079904.tif 000003
【図２】
2010079904.tif 000004
【図３】
2010079904.tif 000005